【手続補正書】
【提出日】平成17年1月20日(2005.1.20)
【手続補正１】
【補正対象書類名】明細書
【補正対象項目名】発明の名称
【補正方法】変更
【補正の内容】
【発明の名称】通信システム及びブリッジ装置
【手続補正２】
【補正対象書類名】明細書
【補正対象項目名】特許請求の範囲
【補正方法】変更
【補正の内容】
【特許請求の範囲】
【請求項１】
複数のノードを共通の通信制御信号線を介して接続したバスを複数結合して構成した通信システムにおいて、
上記複数のバスの内の、所定範囲の複数のバスに対する、識別番号の割り付けを実行するブリッジを備えることを特徴とする通信システム。
【請求項２】
上記ブリッジは、自身を含むバスを頂点とするツリー構造に割り付けられる識別番号の個数よりも多い識別番号の個数を予め確保しておき、下位側の複数のバス内からバスの接続状態変更に伴う識別番号の再割り付け要請を受け取ったときには、予め確保した識別番号の個数を越えない限り、上位側に対してその要請を伝えず、下位側で上記識別番号の再割り付けを実行することを特徴とする請求項１記載の通信システム。
【請求項３】
上記下位側とはツリー構造の枝側であり、上記上位側とはツリー構造の幹側であることを特徴とする請求項２記載の通信システム。
【請求項４】
複数のノードを共通の通信制御信号線を介して接続したバスを複数結合するブリッジ装置において、
上記複数のバスの内の、所定範囲の複数のバスに対する、識別番号の割り付けを実行することを特徴とするブリッジ装置。
【請求項５】
自身を含むバスを頂点とするツリー構造に割り付けられる識別番号の個数よりも多い識別番号の個数を予め確保しておき、下位側の複数のバス内からバスの接続状態の変更に伴う識別番号の再割り付け要請を受け取ったときには、予め確保した識別番号の個数を越えない限り、上位側に対してその要請を伝えず、上記下位側に上記識別番号の再割り付けを実行させることを特徴とする請求項４記載のブリッジ装置。
【手続補正３】
【補正対象書類名】明細書
【補正対象項目名】０００１
【補正方法】変更
【補正の内容】
【０００１】
【発明の属する技術分野】
本発明は、複数のノードを、制御信号と情報信号とを混在させて伝送することのできる通信制御信号線を介して接続したバスを複数結合してなる通信システム、並びに上記バスを結合するブリッジ装置に関する。
【手続補正４】
【補正対象書類名】明細書
【補正対象項目名】０００８
【補正方法】変更
【補正の内容】
【０００８】
本発明は、上記実情に鑑みてなされたものであり、システム全体に発生するコンフィギュレーション処理の頻度を抑えて動作を安定させることができる通信システム、並びにブリッジ装置の提供を目的とする。
【手続補正５】
【補正対象書類名】明細書
【補正対象項目名】０００９
【補正方法】変更
【補正の内容】
【０００９】
【課題を解決するための手段】
本発明に係る通信システムは、上記課題を解決するために、複数のノードを共通の通信制御信号線を介して接続したバスを複数結合して構成した通信システムにおいて、上記複数のバスの内の、所定範囲の複数のバスに対する、識別番号の割り付けを実行するブリッジを備える。
本発明に係るブリッジ装置は、上記課題を解決するために、複数のノードを共通の通信制御信号線を介して接続したバスを複数結合するブリッジ装置において、上記複数のバスの内の、所定範囲の複数のバスに対する、識別番号の割り付けを実行する。
【手続補正６】
【補正対象書類名】明細書
【補正対象項目名】００１０
【補正方法】変更
【補正の内容】
【００１０】
この通信システムは、複数のバスをブリッジで結合し、ネットワークマネージャが存在するバスを中心にツリー構造を形成するコンフィギュレーションを実行し、各バスに対して順番に番号を付けるシステムであり、予め確保した識別番号の個数が新たに追加等されるバスの数より少なくなったときにのみコンフィギュレーション要請を上位に伝え、それ以外のときには下位のツリー構造のコンフィギレーション処理を実行する。
具体的には、このブリッジ自身を頂点とするツリー構造に含まれるバスの数より大きなバス数を予め確保しておき、このツリー構造内でコンフィギュレーションの要因が発生し、コンフィギュレーションの要請を受け取った場合、予め確保したバス数を越えない限りツリー構造の上位に対してコンフィギュレーションの要請を伝えず、このツリー構造内のコンフィギュレーションを実行する手段によって上記の問題を解決する。
【手続補正７】
【補正対象書類名】明細書
【補正対象項目名】００１１
【補正方法】変更
【補正の内容】
【００１１】
このため、ブリッジを頂点とするツリー構造に再コンフィギュレーションする要因が発生しても、バス番号が不足しない限り上位にコンフィギュレーションの要請を伝えることがなく、システム全体のコンフィギュレーションの頻度を低減することができる。
【手続補正８】
【補正対象書類名】明細書
【補正対象項目名】００１２
【補正方法】変更
【補正の内容】
【００１２】
【発明の実施の形態】
以下、本発明に係る通信システム、並びにブリッジ装置の実施の形態について図面を参照しながら説明する。
【手続補正９】
【補正対象書類名】明細書
【補正対象項目名】００１３
【補正方法】変更
【補正の内容】
【００１３】
先ず、通信システムの実施の形態は、コンピュータやその周辺機器、或いはＡＶ機器等を多数接続して形成する、図１に示すネットワークシステムである。上記各機器には機器を接続するためのインターフェースが内蔵されている。一般的にこれらの各機器はノード（node）と呼ばれている。
【手続補正１０】
【補正対象書類名】明細書
【補正対象項目名】００３６
【補正方法】変更
【補正の内容】
【００３６】
【発明の効果】
本発明に係る通信システムは、全体としてコンフィギュレーションが発生する頻度を抑
えることができ、動作の安定をはかることができる。
【手続補正１１】
【補正対象書類名】明細書
【補正対象項目名】００３７
【補正方法】変更
【補正の内容】
【００３７】
また、本発明に係るブリッジ装置は、通信システム全体のコンフィギュレーションが発生する頻度を抑えることができ、通信システムの動作を安定させることができる。
【手続補正１２】
【補正対象書類名】明細書
【補正対象項目名】図面の簡単な説明
【補正方法】変更
【補正の内容】
【図面の簡単な説明】
【図１】  本発明に係る通信システム、並びにブリッジ装置の実施の形態の構成を示す図である。
【図２】  図１に示したネットワークシステムを解りやすい階層構造で表現した図である。
【図３】  上記ネットワークシステムにおける第２のブリッジが管理下のバスに対してコンフィギュレーションを行う模様を示す図である。
【図４】  上記第２のブリッジを中の下位側のポータルのコンフィギュレーション時の動作を説明するためのフローチャートである。
【図５】  下位層にバスが追加されてコンフィギュレーションの要求を受け取った場合の第２のブリッジのポータルの動作を説明するための図である。
【図６】  下位層にバスが追加されてコンフィギュレーションの要求を受け取った場合の第２のブリッジのポータルの他の動作を説明するための図である。
【図７】従来のネットワークシステムの構成を示す図である。
【符号の説明】
１００〜１０６，１１１〜１１４  バス、９０，９１  第１のバス、１２０，１２１  第２のバス